(57)【要約】【課題】より効率良く工事を進めることを可能にした工事支援装置を提供すること。【解決手段】工事情報を記憶している工事データベース１２ａと、キーボード１４及びマウス１６と、工事データベース１２ａから、必須工事場所周囲の所定の検索範囲に工事場所が位置する工事情報を探し出し、工事情報を抽出する工事場所抽出部２２と、を有する工事支援装置１であって、必須工事に関連付けられている位置情報を中心として検索範囲を設定する第１検索範囲設定部２０と、工事場所抽出部２２によって抽出された第２の工事情報の位置情報に基づいて、検索範囲における工事場所の分布に偏りがあるか否かを判定する偏り判定部２４と、偏りありと判定した場合に、検索範囲の中心を偏っている側に移動させて、検索範囲を再設定する第２検索範囲設定部２６と、を備え、工事場所抽出部２２は、第２検索範囲に基づいて工事情報の検索、抽出を行う。【選択図】図１
2016038696.tif 000002
【特許請求の範囲】
【請求項１】
工事毎に付せられた識別情報、工事場所を特定する位置情報及び工事に関連する関連情報を含む実施予定の工事情報が登録されるデータベースと、
オペレータ操作により、前記データベースに登録されている工事情報の中から所定の工事情報を指定工事情報として選択する操作部と、
前記操作部によって選択された指定工事情報の工事場所を中心として第１検索範囲を設定する第１検索範囲設定部と、
前記位置情報に基づいて、前記データベースから前記第１検索範囲内に工事場所が位置する工事情報を探し出し、当該工事情報からなる第１工事情報群を前記データベースから抽出する工事場所抽出部と、
前記第１検索範囲の中心を、前記第１工事情報群の工事場所が全て前記第１検索範囲内に含まれる範囲で移動させ、前記第１検索範囲の外側に位置する工事場所が含まれるように第２検索範囲を設定する第２検索範囲設定部と、を備え、
前記工事場所抽出部は、前記データベースから前記第２検索範囲内に工事場所が位置する工事情報を探し出し、当該工事情報からなる第２工事情報群を前記データベースから抽出することを特徴とする工事支援装置。
【請求項２】
前記第１検索範囲及び第２検索範囲は、円形であることを特徴とする請求項１記載の工事支援装置。
【請求項３】
前記第２検索範囲設定部は、前記工事場所抽出部が抽出した前記第２工事情報群による工事の作業量に応じて、前記第２検索範囲の半径の大きさを変えることを特徴とする請求項２記載の工事支援装置。
【請求項４】
前記工事場所抽出部によって抽出された前記第１工事情報群の位置情報に基づいて、前記第１検索範囲における工事場所の分布に偏りがあるか否かを判定する偏り判定部を、更に備え、
前記第２検索範囲設定部は、前記偏り判定部が、工事場所の分布に偏りがあると判定した場合に、前記第１検索範囲の中心を前記第１工事情報群の工事場所の分布における偏っている側に移動させて前記第２検索範囲を設定することを特徴とする請求項１乃至３のいずれか１項記載の工事支援装置。
【発明の詳細な説明】
【技術分野】
【０００１】
本発明は、必須の工事を実施する際に、必須工事の機会に実施可能な工事に関する情報を取得する工事支援装置に関する。
【背景技術】
【０００２】
配電線路工事の工事計画は、工事支援システムを用いて作成される。工事支援システムは、実施予定の工事情報が登録されているデータベースを備えている。工事情報には、工事毎に付せられるＩＤ番号、工事を行う電柱の位置情報等が含まれている。
【０００３】
そしてオペレータが、工事支援システムを操作して、必ず実施すべき必須工事のＩＤ番号、及び必須工事場所を中心とする円形の検索範囲の半径の値（例えば、２００ｍ）を入力する。工事支援システムは、各工事情報の位置情報に基づいて、必須工事の工事場所を中心に半径２００ｍの円内に位置している工事場所の工事情報をデータベースから探し出し、抽出してリスト表示する。
【０００４】
これにより、作業員は、必須工事の機会に実施可能な工事に関する情報を工事支援システムから取得することができる。そして、作業員が、取得した各工事の内容、場所、更に作業員の施工能力等を考慮したうえで工事計画を作成することによって、工事計画を効率的に進めることが可能になる。
【０００５】
また、従来この種の技術としては、特許文献１に記載された技術がある。特許文献１には、配電工事の行われる箇所が工事の進捗状況に対応した表示のマークで表示される配電工事管理システムについて開示されている。
【先行技術文献】
【特許文献】
【０００６】
【特許文献１】特開２００８−５２４６１号公報
【発明の概要】
【発明が解決しようとする課題】
【０００７】
ところで、配電線路は樹枝状に広がっていることを考慮すると、データベースから取得した工事場所は、円形の検索範囲内において偏って分布している場合が考えられる。
【０００８】
ここで、半径２００ｍの円内の工事場所が必須工事の実施機会に工事可能であるならば、作業員は、最大４００ｍの距離であれば十分に移動可能とある。このため、偏って分布している工事場所において、検索範囲の近傍でかつ検索範囲から外れている工事場所の工事は、必須工事の機会に実施することが可能である。しかし、従来の工事支援システムによれば、そのような工事情報がデータベースから抽出されないため、結果として、更なる効率化を図ることが困難になる。
【０００９】
本発明は、このような問題点を解決し、必須工事の機会に実施可能な工事の情報をデータベースからより多く抽出可能にすることによって、より効率良く工事を進めることを可能にした工事支援装置を提供することを目的とする。
【課題を解決するための手段】
【００１０】
前記目的を達成するため、本発明は、次に記載する構成を備えている。
【００１１】
（１）  工事毎に付せられた識別情報、工事場所を特定する位置情報及び工事に関連する関連情報を含む実施予定の工事情報が登録されるデータベースと、オペレータ操作により、前記データベースに登録されている工事情報の中から所定の工事情報を指定工事情報として選択する操作部と、前記操作部によって選択された指定工事情報の工事場所を中心として第１検索範囲を設定する第１検索範囲設定部と、前記位置情報に基づいて、前記データベースから前記第１検索範囲内に工事場所が位置する工事情報を探し出し、当該工事情報からなる第１工事情報群を前記データベースから抽出する工事場所抽出部と、前記第１検索範囲の中心を、前記第１工事情報群の工事場所が全て前記第１検索範囲内に含まれる範囲で移動させ、前記第１検索範囲の外側に位置する工事場所が含まれるように第２検索範囲を設定する第２検索範囲設定部と、を備え、前記工事場所抽出部は、前記データベースから前記第２検索範囲内に工事場所が位置する工事情報を探し出し、当該工事情報からなる第２工事情報群を前記データベースから抽出することを特徴とする工事支援装置。
【００１２】
（１）によれば、工事場所抽出部が第１検索範囲を検索して、第１工事情報群を抽出し、更に、第１検索範囲の中心を移動させ、第１検索範囲の範囲外にあって工事場所ができるだけ範囲内に含まれるような中心位置を第２検索範囲の中心に設定する。これにより、最初の検索で抽出できなかった工事情報を次の検索で抽出できる場合がある。その結果、例えば、必須工事の実施機会に実施できる工事に関する情報を取得することが可能になり、より効率良く工事を進めることが可能になる。
【００１３】
（２）  （１）において、前記第１検索範囲及び第２検索範囲は、円形であることを特徴とする工事支援装置。
【００１４】
（２）によれば、第１検索範囲及び第２検索範囲を、半径を指定することによって容易に設定可能になる。
【００１５】
（３）  （２）において、第２検索範囲設定部は、前記工事場所抽出部が抽出した前記第２工事情報群による工事の作業量に応じて、前記第２検索範囲の半径の大きさを変えることを特徴とする工事支援装置。
【００１６】
（３）によれば、検索範囲の大きさを適宜変えることが可能になり、必須工事の実施機会に実施できる工事に関する情報をより多く取得することが可能になる。これにより、より効率良く工事を進めることが可能になる。
【００１７】
（４）  （１）〜（３）において、前記工事場所抽出部によって抽出された前記第１工事情報群の位置情報に基づいて、前記第１検索範囲における工事場所の分布に偏りがあるか否かを判定する偏り判定部を、更に備え、前記第２検索範囲設定部は、前記偏り判定部が、工事場所の分布に偏りがあると判定した場合に、前記第１検索範囲の中心を前記第１工事情報群の工事場所の分布における偏っている側に移動させて前記第２検索範囲を設定することを特徴とする工事支援装置。
【００１８】
（４）によれば、工事場所抽出部が最初に抽出した第１工事情報群の工事場所の分布が第１検索範囲おいて偏っている場合、偏っている側に検索範囲を移動させて第２検索範囲を設定する。そして、次に、工事場所抽出部が第２検索範囲に含まれる工事情報をデータベースから検索し、第２工事情報群を抽出する。これにより、最初の検索で抽出できなかった工事情報を次の検索で抽出できる場合がある。その結果、例えば、必須工事の実施機会に実施できる工事に関する情報を取得することが可能になり、より効率良く工事を進めることが可能になる。
【発明の効果】
【００１９】
本発明によれば、より効率的に工事計画を策定するための情報が取得できる工事支援装置を提供することが可能になる。
【図面の簡単な説明】
【００２０】
【図１】本発明の一実施形態における工事支援装置１の概略構成を示すブロック図である。
【図２】検索画面及び工事データベース１２ａに登録されている工事情報リストを示す説明図である。
【図３】工事データベース１２ａに登録されている一部の工事情報に対応する工事位置を地図上に表した図である。
【図４】図３に、ＩＤ番号（２７）の工事場所を中心として半径２００ｍの縮尺の実線の円を書き込んだ図である。
【図５】図２の抽出ボタン及びすべて表示ボタンを押下した場合の画面表示を示す図である。
【図６】検索範囲の移動を示す説明図である。
【図７】図５の中心補正ボタン及びすべて表示ボタンを押下した場合の画面表示を示す図である。
【図８】図４において半径を３００ｍに設定した場合を示す説明図である。
【図９】他の実施形態における工事支援装置１による工事情報の抽出結果を示す説明図である。
【発明を実施するための形態】
【００２１】
以下、本発明の一実施形態について、図面を参照しながら詳細に説明する。
図１は、本発明の一実施形態における工事支援装置１の概略構成を示すブロック図である。工事支援装置１は、装置全体を制御するＣＰＵ１０と、各種のプログラムやデータが記憶されている大容量記憶装置１２と、オペレータの操作によって各種の入力を行うキーボード１４及びマウス１６と、各種の情報を表示するディスプレイ１８と、を備えている。
【００２２】
ＣＰＵ１０は、大容量記憶装置１２に記憶されているプログラムを実行することにより、第１検索範囲設定部２０、工事場所抽出部２２、偏り判定部２４、第２検索範囲設定部２６、抽出結果表示部２８、としての機能を果たす。
【００２３】
大容量記憶装置１２には、実施予定の工事情報が登録されている工事データベース１２ａが記憶されている。工事情報は、工事毎に付せられるＩＤ番号、工事を行う電柱の位置情報及び工事に関連する関連情報を含んでいる。電柱の位置情報は、ＧＰＳ座標によって表される緯度、経度からなり、関連情報は、工事内容、修理内容、工事優先度、竣工指定日等の情報からなる。
【００２４】
第１検索範囲設定部２０は、第１検索範囲を規定する値を設定する。本実施形態においては第１検索範囲が円形であるため、第１検索範囲の中心となる位置情報と、半径の値が設定される。第１検索範囲の中心となる位置情報としては、オペレータがキーボード１４を操作して、必ず実施すべき必須工事のＩＤ番号を指定入力した場合に、このＩＤ番号に関連付けられている位置情報、すなわち緯度、経度情報が設定される。半径の値としては、オペレータがキーボード１４を操作して入力した値が設定される。
【００２５】
工事場所抽出部２２は、工事データベース１２ａに登録されている工事情報の中から、第１検索範囲設定部２０で設定した第１検索範囲に含まれている位置情報を有する工事情報を探し出す。そして探し出した工事情報からなる第１工事情報群を工事データベース１２ａから抽出する。また、詳細は後述するが、第２検索範囲設定部２６で第２検索範囲が再設定された場合、工事場所抽出部２２は、再設定された第２検索範囲に含まれている位置情報を有する工事情報を探し出す。そして探し出した工事情報からなる第２工事情報群を工事データベース１２ａから抽出する。
【００２６】
具体的に、工事場所抽出部２２は、最初に、第１検索範囲の中心となる位置情報及び半径の値に基づいて、円形の第１検索範囲を囲む正方形の仮想領域を設定する。ここで、仮想領域の正方形における縦線は経線に平行であり、横線は緯線に平行であり、第１検索範囲の中心と正方形の中心は一致したものとする。次に、工事場所抽出部２２は、工事データベース１２ａに登録されている工事情報の中から、正方形の仮想領域内に含まれている位置情報を有する工事情報を探し出す。次に、工事場所抽出部２２は、探し出した工事情報の位置情報に基づいて第１検索範囲の中心から工事場所までの直線距離を求め、この直線距離と第１検索範囲の半径とを比較する。そして、正方形の仮想領域内の工事情報を、直線距離が半径以下の工事情報に絞り込む。この絞り込んだ工事情報が、第１工事情報群として工事データベース１２ａから抽出される。
【００２７】
偏り判定部２４は、工事場所抽出部２２によって工事データベース１２ａから抽出された第１工事情報群の位置情報に基づいて、第１検索範囲内における工事場所の分布に偏りが見られるか否かを判定する。一例として、偏り判定部２４は、中心から半径方向延びる２本の仮想線（図４中の破線）によって、全ての工事場所が含まれるように第１検索範囲を区切り、これら２本の仮想線の中心角が１８０度以下であれば偏っていると判定する。
【００２８】
第２検索範囲設定部２６は、偏り判定部２４が工事場所の分布に偏りがあると判定した場合に、第１検索範囲の中心を工事場所の分布における偏っている側に移動させて、第２検索範囲を設定する。一例として、工事場所の緯度における最上位と最下位の値の平均値及び経度における最上位と最下位の値の平均値の位置を、第２検索範囲の中心として設定する。
【００２９】
抽出結果表示部２８は、工事場所抽出部２２が抽出した第１工事情報群あるいは第２工事情報群をディスプレイ１８にリスト表示する。
【００３０】
図２は、検索画面及び工事データベース１２ａに登録されている工事情報リストを示す説明図である。
【００３１】
検索画面には、指定工事情報に相当するＩＤ番号の入力欄、半径値の入力欄、抽出ボタン、すべて表示ボタン、中心補正ボタン、抽出件数の表示欄、表示中工事額の表示欄、選択ＩＤの緯度・経度の表示欄、中心補正後の緯度・経度の表示欄等が含まれている。
【００３２】
ＩＤ番号及び半径値は、オペレータによるキーボード１４の操作によって入力欄に入力される。抽出ボタン、すべて表示ボタン及び中心補正ボタンは、オペレータによるマウス１６の操作によってカーソルをボタン上に置いてクリックすることにより、工事場所抽出部２２による第１工事情報群の抽出処理、抽出結果表示部２８による抽出結果のリスト表示処理、第２検索範囲設定部２６及び工事場所抽出部２２による第２検索範囲の設定、第２工事情報群の抽出処理が実行される。
【００３３】
工事情報リストには、ＩＤ番号、地区名、線路名、請負代、工事の分類、優先度、竣工指定日までの残り日数、緯度・経度等の項目が含まれている。また、工事情報リストには、図示しないがそれ以外にも電柱番号、原票番号等の項目が含まれている。
【００３４】
次に、本実施形態の工事支援装置１を用いた、必須工事の実施機会に実施できる工事情報の抽出手順について説明する。
【００３５】
まず作業員は、図２に示す工事情報リストを参照しながら、必ず実施する必須工事を決定する。本実施形態においては、ＩＤ番号（２７）の工事を実施する場合を例として説明する。
【００３６】
次に、作業員は、検索画面のＩＤ番号の入力欄及び半径値の入力欄にそれぞれ入力して、抽出ボタンを押下する。本実施形態においては、検索画面のＩＤ番号の入力欄に「２７」と入力し、半径値の入力欄に「２００」と入力する。これにより、ＩＤ番号（２７）に関連付けられている緯度・経度の位置を中心とする半径２００ｍの円内の範囲が第１検索範囲として設定され、この第１検索範囲に工事場所が含まれている第１工事情報群が工事データベース１２ａから抽出される。
【００３７】
図３は、工事データベース１２ａに登録されている一部の工事情報に対応する工事場所を地図上に表したものである。図２に示す地図には、ＩＤ番号（１）、（２７）〜（３０）、（９９７）、（９９８）に対応する工事場所が表示されている。
【００３８】
図４は、図３の地図に、ＩＤ番号（２７）の工事場所を中心として半径２００ｍの縮尺の実線の円を書き込んだ図である。なお、図４に書き込まれている２点鎖線の円は、ＩＤ番号（２７）の工事場所を中心として半径３００ｍの範囲を示すものである。図４に示すように、ＩＤ番号（２７）の工事場所を中心として半径２００ｍの縮尺の実線の円内には、ＩＤ番号（２７）〜（３０）の工事場所が位置しており、半径２００ｍの円の外側に、ＩＤ番号（１）、（２６）、（９９７）、（９９８）の工事場所が位置している。
【００３９】
このため、オペレータが、図２に示す検索画面のＩＤ番号の入力欄に「２７」と入力し、半径値の入力欄に「２００」と入力して、抽出ボタンを押下すると、ＩＤ番号（２７）〜（３０）の４つの工事情報が第１工事情報群として抽出される。このため、図５に示すように、検索画面の抽出件数の欄には４件と表示され、選択ＩＤの緯度・経度の欄には、ＩＤ番号（２７）に関連付けられている緯度・経度が表示される。そして更に、オペレータが、すべて表示ボタンを押下すると、図５に示すように、検索画面とともに、第１工事情報群すなわちＩＤ番号（２７）〜（３０）の４つの工事情報がリスト表示される。なお、図５に示す検索結果を見て、検索範囲を広げて再検索したい場合には、半径値の入力欄に入力する値を任意に変更して、抽出ボタンを押下する。例えば、半径値の入力欄を「２００」から「３００」と変更して抽出ボタンを押下することにより、図４における、ＩＤ番号（２６）〜（３０）、（９９７）、（９９８）の７つの工事情報が抽出される。
【００４０】
次に、オペレータが、図５に示す検索画面において中心補正ボタンを押下することにより、第２検索範囲の設定が行われる。まず、偏り判定部２４が、抽出されたＩＤ番号（２８）〜（３０）の緯度・経度に基づいて、工事場所の分布が偏っているか否かを判定する。ＩＤ番号（２８）〜（３０）の工事場所は、図４に示すように、中心角９０°の扇形の範囲内にすべて収まることから、工事場所の分布は偏っていると偏り判定部２４が判定する。
【００４１】
次に、第２検索範囲設定部２６は、工事場所の分布が偏っていると偏り判定部２４が判定したことを条件に、新たな中心位置及び第２検索範囲を設定する。図５に示すリスト表示によれば、必須工事以外に抽出されたＩＤ番号（２８）〜（３０）の工事場所において最大緯度は３５．７４５度であり、最小緯度は３５．７３７度である。同様に最大経度は１３９．７４５度であり、最小経度は３５．７４３度である。そして、これらの値の平均を取ることにより、補正後の中心位置として緯度が１３９．７４１度、経度が３５．７４３度の位置が中心位置として新たに設定される。これにより、新たに設定された中心位置から半径２００ｍの円内の範囲が第２検索範囲として設定され、この第２検索範囲に含まれる工事場所の工事情報が第２工事情報群として工事データベース１２ａから抽出される。
【００４２】
図６は、第２検索範囲を設定した場合の、第１検索範囲の移動を示す説明図である。図５に示す検索画面において中心補正ボタンを押下することにより、第１検索範囲の中心が、緯度：３５．６７５０度・経度：１３９．７４５度から、緯度：１３９．７４１度・経度：３５．７４３度の位置に移動する。これにより、第１検索範囲の中心が、工事場所の分布における偏っている側に移動して、中心補正ボタンを押下する前の二点鎖線で示す第１検索範囲から実線で示す第２検索範囲に設定される。
【００４３】
第２検索範囲が設定されると、図６に示すように、ＩＤ番号（２７）〜（３０）の他に、ＩＤ番号（２６）が第２検索範囲内に入ってくる。このため、オペレータが、検索画面の中心補正ボタンをクリックすることによって、ＩＤ番号（２６）〜（３０）の工事情報が第２工事情報群として抽出され、図７に示すように、検索画面の抽出件数の欄には５件と表示され、中心補正後の緯度・経度の欄には、１３９．７４１度・３５．７４３度と表示される。そして更に、オペレータが、図５に示すすべて表示ボタンを押下すると、図７に示すように、検索画面とともにＩＤ番号（２６）〜（３０）の５つの工事情報がリスト表示される。
【００４４】
このように、第１検索範囲の中心を、工事場所の分布において偏っている側に移動させることにより、ＩＤ番号（２６）の工事情報が新たにリストアップされる。これにより、作業員は、ＩＤ番号（２７）の工事の実施機会に実施できる工事情報をより多く取得することが可能になる。
【００４５】
以上説明したように構成された本実施形態によれば、工事場所抽出部２２が最初に検索、抽出した第１工事情報群の工事場所の分布が第１検索範囲内において偏っている場合、第２検索範囲設定部２６は、偏った方向に第１検索範囲を移動させて第２検索範囲を設定してから、再度、工事データベース１２ａを検索して、第２工事情報群を抽出する。これにより、第２工事情報群に含まれる工事情報の数は、第１工事情報群に含まれる工事情報の数と同じかそれ以上となるため、最初の検索で抽出できなかった工事情報を次の検索で抽出できる場合がある。したがって、必須工事の実施機会に実施できる工事に関する情報をより多く取得することが可能になり、より効率良く工事を進めることが可能になる。
【００４６】
また本実施形態によれば、第１検索範囲及び第２検索範囲が円形であるため、これらの検索範囲の大きさを、半径を指定することによって容易に設定可能になる。
【００４７】
以上、本発明の実施形態について説明したが、本発明の実施形態は上述した実施形態に限るものではない。例えば、上述した実施形態によれば、第２検索範囲を設定する際に、第１検索範囲の中心位置を移動させているが半径は変えていない。そこで、変形例として、第２検索範囲設定部２６は、第１検索範囲の半径＜第２検索範囲の半径、となるように、半径の値を自動的に変更してもよい。これにより、中心補正ボタンを押下するごとに、第２検索範囲の中心が補正されるとともに、第２検索範囲の半径が大きくなる。その結果、必須工事の実施機会に実施できる工事に関する情報をより多く取得することが可能になる。
【００４８】
また、第２検索範囲の検索によって工事データベース１２ａからリストアップされた工事が比較的簡単であれば、より広い範囲で移動することが可能になるため、第２検索範囲を設定する際に、第２検索範囲の半径を大きくすることも可能である。
【００４９】
そこで、第２検索範囲設定部２６に、工事場所抽出部２２によって工事データベース１２ａから抽出された第２工事情報群に基づいて全体の工事における作業量を推定し、その作業量に応じて第２検索範囲の半径の値を補正する機能を持たせ、全体の工事における作業量が比較的軽いと第２検索範囲設定部２６が判断した場合には、半径の値を大きくしてもよい。
【００５０】
具体的には、第２検索範囲設定部２６に、必須工事の実施機会に実施できる工事としてリストアップされた第２工事情報群における請負代の総額や工事内容に基づいて作業量のランク付けを行い、そのランクに応じて半径を自動的に変化させる。
【００５１】
例えば、図５に示す検索画面において、中心補正ボタンを押下することにより、図６に示すように第１検索範囲の中心が移動し、工事場所抽出部２２が、移動した中心から半径を２００ｍ以内の工事情報（ＩＤ番号（２６）〜（３０））を抽出する。この際、第２検索範囲設定部２６が、ＩＤ番号（２６）〜（３０）の工事内容に基づいて作業量のランクを求め、作業量のランクが低いと判断した場合に、半径を３００ｍに自動的に設定するとともに、入力欄に書き込む。これにより、第２検索範囲は、緯度：１３９．７４１度・経度：３５．７４３度の位置を中心として半径３００ｍ以内の円形に設定される。
【００５２】
第２検索範囲が設定されると、図８に示すように、ＩＤ番号（２６）〜（３０）の他に、ＩＤ番号（９９７）、（９９８）が第２検索範囲内に入ってくる。このため、検索画面の中心補正ボタンをクリックすることによって、ＩＤ番号（２６）〜（３０）、（９９７）、（９９８）の第２工事情報群が抽出され、図８に示すように、検索画面の抽出件数の欄には７件と表示される。そして更に、オペレータが、すべて表示ボタンを押下すると、図８に示すように、検索画面とともに、ＩＤ番号（２６）〜（３０）、（９９７）、（９９８）の７つの工事情報がリスト表示される。
【００５３】
このように他の実施形態によれば、第２検索範囲設定部２６が、工事場所抽出部２２が抽出した第２工事情報群による工事の作業量に応じて、第２検索範囲の半径の大きさを変えることにより、必須工事の実施機会に実施できる工事に関する情報をより多く取得することが可能になる。これにより、より効率良く工事を進めることが可能になる。
【００５４】
また、上述した実施形態によれば、偏り判定部２４を備えているが、偏り判定部２４は無くてもよく、その代わりに、第１工事情報群の工事場所の分布の中心点を演算によって求め、この中心点に、第１検索範囲の中心を移動させてもよい。要は、第１検索範囲の中心を、第１工事情報群の工事場所が全て第１検索範囲の円内に含まれる範囲で移動させ、第１検索範囲の外側に位置する工事場所が最も多く含まれる中心位置を第２検索範囲の中心として設定できるのであれば、第１検索範囲の中心の移動方法は問わない。
【符号の説明】
【００５５】
１  工事支援装置
１０  ＣＰＵ
１２  大容量記憶装置
１２ａ  工事データベース
１４  キーボード
１６  マウス
１８  ディスプレイ
２０  第１検索範囲設定部
２２  工事場所抽出部
２４  偏り判定部
２６  第２検索範囲設定部
２８  抽出結果表示部
【図１】
2016038696.tif 000003
【図２】
2016038696.tif 000004
【図３】
2016038696.tif 000005
【図４】
2016038696.tif 000006
【図５】
2016038696.tif 000007
【図６】
2016038696.tif 000008
【図７】
2016038696.tif 000009
【図８】
2016038696.tif 000010
【図９】
2016038696.tif 000011